(57)【要約】      （修正有）【課題】ヒジ、ヒザ、手首、足首、腰やその他の各関節部にあるツボに対し、常に軽い押圧、回転、移動を繰り返すことで、各部間接部の不具合を自然治療をすることができるサポーター、アンダーシャツ衣服の提供。【解決手段】各ツボの位置とボール玉のサイズと数、ボール玉をつつみ込む生地の広さ、大きさ、生地の良し悪し等も考慮して、サポーター、ゴムバンド、下着、その他の衣服等に縫い付ける。ボール玉をつつみ込んで、縫い付ける生地の広さ、大きさをボール玉の直経の約２倍から３倍にしてあるのは、各人の体の大きさの相違で、ツボの位置も違うからであるが、ボール玉は、体の動きによって、回転、移動できるが、ツボ上を中心にその周辺に衣服の上からも手で押圧、揉み、回転、移動できるように、生地の広さ、大きさを取ってある。【選択図】図２
0003105829.tif 000002
【実用新案登録請求の範囲】
【請求項１】
ヒザ．ヒジ．手首．足首．腰等を始めとする各関節部にあるツボを中心に直経約５ミリから約１５ミリ程度のビー玉がその直経の約２倍から約３倍の生地の広さの中で自由自在に３６０度、移動、回転が可能になるようサポーターやゴムバンドの内側に縫い付け又は接着剤等で取り付けたもの。
【請求項２】
パンツを始めとする各下着、シャツ、上衣。ズボン等に直経約５ミリから約２０ミリ程度のビー玉を、その直経の約２倍から約３倍の生地の広さの中で、ツボを中心に自由自在３６０度・移動、回転が可能になるよう、各下着、上着、シャツ．上衣．ズボン等の内側に縫い付け、又は接着剤等で取り付けたもの。
【考案の詳細な説明】
【技術分野】
【０００１】本考案は、各関節部に自然押圧するように、サポーターやゴムバンド、アンダーシャツ衣服等にビー玉を縫い付けたサポーター、アンダーシャツ衣服に関するものである。
［背景技術］【０００２】従来、ヒジ、ヒザ、手首、足首、腰等の各関節部の不具合の手当て、補助治療等には、主にサポーターで行っているが、これは、せいぜい不具合箇所の現状維持が精一杯である。【０００３】本格的な治療には、専門の指圧師やマッサージ師にかかることが必要だが、費用と時間が必要である。それがない人はほとんど、あきらめて治療をしていない。と言うのが現状である。【０００４】そこで、考案されたのが、サポーターやゴムバンド、アンダーシャツ衣服等に、直経約５ミリから１５ミリほどのビー玉を前後左右、３６０度回転と移動が自由自在に可能になるよう縫い付けることで、常に軽い押圧で、不具合箇所を自然治療することが可能になる。【０００５】すなわち、ビー玉を縫い付けたサポーターやゴムバンド、アンダーシャツ衣服等を着ている間は、常にビー玉の押圧、回転と移動で軽い指圧的マッサージを繰り返す状態を作っているのである。
［考案の開示］
［考案が解決しようとする課題］【０００６】解決しようとする問題点は、いかにすれば、各部間接のツボ上とその近くにビー玉を出来るだけ確実に置くことができるかが課題である。【０００７】解決しようとする課題、すなわち、効果的な解決は、上記のごとくにすれば、各部間接のツボ上にビー玉を当てるかだが、例えば、ヒザ間接には、前部に膝眼（ひざ痛）二つ、足の三里（胃下垂）一つ、血海（生理不順）一つ、後部に委中（座骨神経痛）三つ、計七つのツボがあるので、サポーターの内側、ゴムバンドの内側、アンダーシャツの内側、その他の衣服の内側にビー玉をどのようにして配置して縫い付けるか、それは、各ツボ上を中心に、各ビー玉の直経の約２倍から３倍ほど回転移動できるように、各ツボを型紙に書いて、その位置を印しして縫い込んでいけば、決められたツボ上を中心に回転、移動で、目的であるツボ上を中心に、約３倍の部分を常に軽い押圧、回転、移動が可能になる。
［考案の効果］【０００８】本考案は、ヒジ、ヒザ、手首、足首、腰やその他の各関節部にあるツボに対し、常に軽い押圧、回転、移動を繰り返すことで、各部間接部の不具合を自然治療をすることが目的で、これには、サポーター、ゴムバンド、アンダーシャツ、その他の衣服に直経約５ミリから１５ミリほどのビー玉を縫い付けることで、体の動きに沿ってビー玉が自由自在に軽い押圧、回転、移動することで、各間接の患部を治療の方向へ持って行き、時間と共に、日数と共に、その効果が目に見えて現れて来る。
［考案を実施するための最良の形態］【０００９】本考案を最良の形態で、実施するためには、サポーター、ゴムバンド、アンダーシャツ、その他の衣服等にビー玉の大きさと、ビー玉の数をどのような方法で縫い込むのか、と言うことが最も重要で、例えば、ヒジ、ヒザ、腰には、直経約１５ミリのビー玉を、手首、足首には、直経５ミリから７ミリのものを、背中には約２０ミリ程度のものをと言う具合に、各間接部とビー玉の押圧、回転、移動の範囲を考慮して作ることが最良の形態である。
［実施例］【００１０】実施例として、間接痛で最も代表的なヒザを例に。［図１］のＡは、足が前向きの図で、［黒印１］は血海という生理不順のツボ、［黒印２］は膝眼と言うツボで、ヒザ痛に、［黒印３］は、足の三里と言うツボで胃下垂に各々効果があるツボである。【００１１】［図２］のＡは、上記［図１］Ａの、各ツボに当たるように書いたもので、［黒印１］はサポーター本体で、［黒印２］はビー玉を縫い付ける生地で、［黒印３］はビー玉である。このようにサポーター内側にビー玉が自由自在に軽い押圧、回転、移動できるように、ビー玉の直経の約２倍から３倍ほど余裕をもって縫い付けることで、ツボを中心に広く押圧、すなわち、サポーターの弾力性で、指圧的、マッサージ的効果をもたらす。
［産業上の利用可能性］【００１２】本考案は、弾力性のあるサポーター、ゴムバンドの活用である。一般的な下着やシャツ、上着、ズボン等に縫い付けても大丈夫である。なぜならば、空気入りのボール玉を使用するのでなく、ビー玉、パチンコ玉、その他、ある程度重みのあるボール玉を使用し、人間は常時動いているので、多少の圧力は受けているし、又、手でも押さえ、揉み、回転、移動できるので、一般的なな衣服でも結構指圧効果がある。以上の観点から応用範囲は広い。【００１３】現在、将来に向けて、高齢者社会の進展と共に、交通事故の激増等でも各間接部の治療は、社会問題の一つである。前述した通り、多くの患者は、指圧師やマッサージ師にかからなければならないのに、費用と時間の都合で治療に行けない方が多いのである。従って、この自然押圧のボール玉、サポーター、ゴムバンド、アンダーシャツ、その他の衣服等に縫い付けた、サポーター、ゴムバンド、アンダーシャツ、衣服が世に出れば、各間接部患者は元より、患者予備軍、一般の方々の疲労取り等にも使用することは、ほぼ間違いがない。従って、極めて小さいアイデアだが、多少は社会に貢献できる産業になるでしょう。
【図面の簡単な説明】
【００１４】
【図１】のＡは、足が前向きの図で、［黒印１］は血海という、生理不順に効くツボ、［黒印２］は膝眼と言う、ヒザ痛に効くツボ、［黒印３］は、足の三里と言うツボで胃下垂に効くツボである。Ｂは、足を後ろ向きにした図。［黒印２・３］は、委中と言うツボで、座骨神経痛に効くツボである。
【図２】のＡは、［図１］のＡの上記の各ツボに当たるように、ボール玉の直経の約２倍から３倍の広さの生地の中に、ボール玉を縫い付け図である。Ｂは、［図１］のＢのツボ［黒印２・３］に当たるように、ボール玉の直経の約２倍から３倍の広さの生地の中に、ボール玉を縫い付け図である。
【符号の説明】
【００１５】［図１］のＡの［黒印１・２・３］、Ｂの［黒印２・３］はヒザの前後のツボ
［図２］のＡ・Ｂの［黒印１］サポーター本体。［黒印２］はボール玉を縫い込む生地。［黒印３］は生地内のボール玉。
【図１】
0003105829.tif 000003
【図２】
0003105829.tif 000004